(57)【要約】【課題】冷風扇の装置本体に挿脱可能な貯水タンクに収容されている水を流水フィルターに供給し、流水フィルターに供給されている水の気化熱を利用して吸込み口から吸い込まれた空気を冷却して吹出し口から吹き出す形式の冷風扇であって、貯水タンクに収納されている水に細菌が繁殖するおそれの少ない冷風扇を提供する。【解決手段】装置本体に挿脱可能な貯水タンクに収容されている水に対して紫外線を照射する紫外線ランプが装置本体の内部に配備されている。【選択図】図６
2020193777.tif 000002
【特許請求の範囲】
【請求項１】
内部に配備されているファンと、前記ファンにより空気を吸い込む吸込み口と、吸い込んだ前記空気を吹き出す吹出し口とを備えている装置本体と、
前記吸込み口から前記吹出し口までの間の前記空気の流動路に配備されている流水フィルターと、
前記装置本体に挿脱可能な貯水タンクと、
前記装置本体に装着されている前記貯水タンク内に収容されている水を前記流水フィルターに供給するポンプとを備えていて、
前記流水フィルターに供給されている水の気化熱が利用されて前記吸込み口から吸い込まれた空気が冷却されて前記吹出し口から吹き出される冷風扇であって、
前記装置本体に装着されている前記貯水タンク内に収容されている水に対して紫外線を照射する紫外線ランプが前記装置本体の内部に配備されている
冷風扇。
【発明の詳細な説明】
【技術分野】
【０００１】
この発明は、内部に配備されているファンと、前記ファンにより空気を吸い込む吸込み口と、吸い込んだ前記空気を吹き出す吹出し口とを備えている装置本体と、前記吸込み口から前記吹出し口までの間の前記空気の流動路に配備されている流水フィルターと、前記装置本体に挿脱可能な水タンクと、前記装置本体に装着されている前記水タンク内に収容されている水を前記流水フィルターに供給するポンプとを備えていて、前記流水フィルターに供給されている水の気化熱が利用されて前記吸込み口から吸い込まれた空気が冷却されて前記吹出し口から冷風が吹き出される冷風扇に関する。
【背景技術】
【０００２】
冷風扇に関しては従来から種々の提案が行われている。例えば、特許文献１には、装置本体の下部に挿脱可能な水タンクに収納されている水に対して、流水フィルターから水が滴下する音の発生を抑制するとする冷風扇が提案されている。
【先行技術文献】
【特許文献】
【０００３】
【特許文献１】特開２００８−１３８９３２号公報
【発明の概要】
【発明が解決しようとする課題】
【０００４】
冷風扇の装置本体に挿脱可能な水タンクに収容されている水を流水フィルターに供給し、流水フィルターに供給されている水の気化熱を利用して吸込み口から吸い込まれた空気を冷却して吹出し口から吹き出す形式の冷風扇の場合、水タンクには所定の時間にわたって水が収容され続ける。このため、冷風扇が使用されるシーズンである夏季においては、水タンクに収納されている水に細菌が繁殖することなどが考えられ、このような場合には、衛生上の配慮が必要になる。
【０００５】
この発明は、冷風扇の装置本体に挿脱可能な貯水タンクに収容されている水を流水フィルターに供給し、流水フィルターに供給されている水の気化熱を利用して吸込み口から吸い込まれた空気を冷却して吹出し口から吹き出す形式の冷風扇であって、貯水タンクに収納されている水に細菌が繁殖するおそれの少ない冷風扇を提供することを目的にしている。
【課題を解決するための手段】
【０００６】
［１］
内部に配備されているファンと、前記ファンにより空気を吸い込む吸込み口と、吸い込んだ前記空気を吹き出す吹出し口とを備えている装置本体と、
前記吸込み口から前記吹出し口までの間の前記空気の流動路に配備されている流水フィルターと、
前記装置本体に挿脱可能な貯水タンクと、
前記装置本体に装着されている前記貯水タンク内に収容されている水を前記流水フィルターに供給するポンプとを備えていて、
前記流水フィルターに供給されている水の気化熱が利用されて前記吸込み口から吸い込まれた空気が冷却されて前記吹出し口から吹き出される冷風扇であって、
前記装置本体に装着されている前記貯水タンク内に収容されている水に対して紫外線を照射する紫外線ランプが前記装置本体の内部に配備されている
冷風扇。
【発明の効果】
【０００７】
この発明によれば、冷風扇の装置本体に挿脱可能な貯水タンクに収容されている水を流水フィルターに供給し、流水フィルターに供給されている水の気化熱を利用して吸込み口から吸い込まれた空気を冷却して吹出し口から吹き出す形式の冷風扇であって、貯水タンクに収納されている水に細菌が繁殖するおそれの少ない冷風扇を提供することができる。
【図面の簡単な説明】
【０００８】
【図１】本発明の一実施形態に係る冷風扇の正面側から見た斜視図。
【図２】本発明の一実施形態に係る冷風扇を背面側から見た概略図。
【図３】本発明の一実施形態に係る冷風扇を背面側から見て、（ａ）は流水フィルターの着脱を説明する図、（ｂ）はエアーフィルターの着脱を説明する図。
【図４】本発明の一実施形態に係る冷風扇において、（ａ）は水を収容した水タンクを装置本体に装着する状態を説明する一部を省略した斜視図、（ｂ）は水タンクを装置本体から抜き取る状態を説明する一部を省略した斜視図。
【図５】本発明の一実施形態に係る冷風扇において、（ａ）は水タンクに水と保冷剤を装入する状態を説明する斜視図、（ｂ）は保冷剤収容部を説明する一部を省略した平面図。
【図６】本発明の一実施形態に係る冷風扇において、（ａ）は水を収容した水タンクを装置本体に装着する状態を説明する一部を省略した側面図、（ｂ）は装置本体に装着された水タンクに収容されている水が紫外線ランプから紫外線照射を受けている状態を説明する一部を省略した側面図。
【図７】本発明の一実施形態に係る冷風扇において、（ａ）は操作パネル部の一例を表す平面図、（ｂ）は付帯しているリモコンの操作面の一例を表す平面図。
【発明を実施するための形態】
【０００９】
この実施形態の冷風扇１の外観構造は縦長の装置本体２からなる。装置本体 ２の底面部の四隅にそれぞれ車輪としてのキャスター３が取り付けられている（図１）。
【００１０】
装置本体２の内部には、不図示の送風手段としてのファン及び、駆動源としてのファンモータが配備されている。装置本体２の背面部には、図２図示のように、吸込み口４が設けられ、前面部には、図１図示のように、吹出し口５が設けられている。
【００１１】
吸込み口４にはフィルターユニットが配備されている。このフィルターユニットは、図２図示のように、吸込み口４の外側に配備されているエアーフィルター６と、エアーフィルター６の内側に配備されている流水フィルター７から構成されている。
【００１２】
図３（ａ）図示のように、吸込み口４の口縁部に、流水フィルター７を装着するストッパー８が配備されている。流水フィルター７はストッパー８を介して吸込み口４の口縁部に取り付け取り外し可能になっている。
【００１３】
また、吸込み口４の口縁部にストッパー９が配備されており、流水フィルター７がストッパー８を介して吸込み口４の口縁部に取り付けられている状態で、その外側に、エアーフィルター６がストッパー９を介して吸込み口４の口縁部に取り付け取り外し可能になっている（図３（ｂ））。
【００１４】
装置本体２の下部に、流水フィルター７へ供給する水を貯水しておく貯水タンク１０が、装置本体２の下部に対して、図６（ａ）に矢印３０、３１で示すように、挿脱可能に配備されている。
【００１５】
水が収納されている貯水タンク１０が、装置本体２下部に備えられている貯水タンク収容部１５に装着されると、貯水タンク１０内に収納されている水１７の中に、図６（ａ）、（ｂ）図示のように、装置本体２の上部から吸い上げポンプ１１が垂下する。吸い上げポンプ１１によって、貯水タンク１０内に収容されている水１７が吸い上げられて流水フィルター７へ供給される。
【００１６】
不図示のファンモータによって送風手段としてのファンが回転し、装置本体２の背面部の吸込み口４から装置本体２内に吸引された空気が、フィルターユニットを、エアーフィルター６、流水フィルター７の順で通過した後、装置本体２の前面部の吹出し口５から吹き出されていく。
【００１７】
この際、流水フィルター７に供給されている水の気化熱が利用されて吸込み口４から吸い込まれた空気が冷却され、装置本体２の前面部の吹出し口５から冷風が吹き出される。
【００１８】
このような冷風扇の構造、機能は従来から公知のものである。
【００１９】
なお、貯水タンク１０は、図５（ａ）、（ｂ）図示のように、複数のスリット１２を備えたスペーサ１１によって保冷剤挿入部１４と、それ以外の部分とに区画されている。貯水タンク１０に水１７を挿入するとともに、保冷剤挿入部１４に保冷剤１９を挿入しておくことで、貯水タンク１０に収納されている水を冷却し、空気の冷却性能を向上させることができる。
【００２０】
この実施形態の冷風扇１では、装置本体２の下部に装着されている水タンク１０内に収容されている水１７に対して紫外線を照射する紫外線ランプ１６が装置本体２の内部に配備されている。
【００２１】
紫外線ランプ１６によって、貯水タンク収容部１５に装着された貯水タンク１０に収納されている水１７は紫外線ランプ１６からの紫外線照射を矢印１８で示すように受けている。
【００２２】
従来から紫外線が強い殺菌力を持っていることが知られており、紫外線には、バクテリア、カビ、藻類、その他の微生物を短時間で死滅させる能力があることが知られている。
【００２３】
本実施形態の冷風扇は、この紫外線の殺菌力を利用し、冷風扇の装置本体に挿脱可能な水タンクに収容されている水を流水フィルターに供給し、流水フィルターに供給されている水の気化熱を利用して吸込み口から吸い込まれた空気を冷却して吹出し口から吹き出す形式の冷風扇であって、水タンクに収納されている水に細菌が繁殖するおそれの少ない冷風扇を提供できるようにしたものである。
【００２４】
上述したこの実施形態の冷風扇１について、紫外線ランプ１６からの紫外線照射による殺菌効果をテストしたところ以下の結果を得た。
【００２５】
上述したこの実施形態の冷風扇１を２台準備し、同一の水を用い、これを、それぞれの冷風扇１の貯水タンク１０に収納される水１７として使用し、冷風扇１を３時間連続して稼働させ、その間、紫外線ランプ１６からの紫外線照を行っていた場合と、紫外線ランプ１６からの紫外線照を全く行わなかった場合とで、３時間経過時点での水１７内の細菌の数を測定した。
【００２６】
このテストを３回（テストケース１、テストケース２、テストケース３）行ったところ結果は、表１の通りであった。
【００２７】
冷風扇１を３時間連続して稼働させ、その間、紫外線ランプ１６からの紫外線照を行っていた場合、紫外線ランプ１６からの紫外線照を全く行わなかった場合に比較して平均９９．４９％の殺菌割合であった。
【表１】
2020193777.tif 000003
【００２８】
次に、まったく同様にして、冷風扇１を５時間連続して稼働させ、その間、紫外線ランプ１６からの紫外線照を行っていた場合と、紫外線ランプ１６からの紫外線照を全く行わなかった場合とで、５時間経過時点での水１７内の細菌の数を測定した。
【００２９】
このテストを３回（テストケース４、テストケース５、テストケース６）行ったところ結果は、表２の通りであった。
【００３０】
冷風扇１を５時間連続して稼働させ、その間、紫外線ランプ１６からの紫外線照を行っていた場合、紫外線ランプ１６からの紫外線照を全く行わなかった場合に比較して平均９９．７３％の殺菌割合であった。
【表２】
2020193777.tif 000004
【００３１】
このテスト結果から、この実施形態の冷風扇１によれば、装置本体２に挿脱可能な貯水タンク１０に収容されている水１７に対して紫外線を照射する紫外線ランプ１６が装置本体２の内部に配備されていて、水１７に対して紫外線が照射されていることで、貯水タンク１０に収容されている水１７が殺菌され、非常に衛生的であることが確認できた。
【００３２】
図７（ａ）は、装置本体２の上部に配備されている操作パネル、図７（ｂ）は、付帯されているリモコン装置を説明するものである。
【００３３】
図示の実施形態では、プッシュボタン形式の種々の操作スイッチが操作パネルに配備されており、電源の入り切り、連続運転時間のタイマー設定、連続運転・リズム運転・おやすみモードを切り替えるモード切替、首振りモードの設定・切り換え、マイナスイオンモードの設定、紫外線照射・冷風・加湿モードの切り替えだけでなく、微風、弱、中、強、最大という５段階の風量調整が可能になっている。
【００３４】
以上、添付図面を参照して本発明の好ましい実施形態を説明したが本発明は上述した実施形態に限られず、特許請求の範囲の記載から把握される技術的範囲において種々に変更可能である。
【符号の説明】
【００３５】
１  冷風扇
２  装置本体
３  キャスター
４  吸込み口
５  吹出し口
６  エアーフィルター
７  流水フィルター
８  ストッパー
９  ストッパー
１０  貯水タンク
１５  貯水タンク収容部
１７  水
１１  吸い上げポンプ
１２  スリット
１１  スペーサ
１４  保冷剤挿入部
１９  保冷剤
１６  紫外線ランプ
１８  紫外線ランプから貯水タンク内の水に照射される紫外線
２０  電源コード
２１  持ち手
【図１】
2020193777.tif 000005
【図２】
2020193777.tif 000006
【図３】
2020193777.tif 000007
【図４】
2020193777.tif 000008
【図５】
2020193777.tif 000009
【図６】
2020193777.tif 000010
【図７】
2020193777.tif 000011